(57)【要約】【課題】  クリーナレスの画像形成装置において、長期にわたり安定した良好な画像が得られるようにする。【解決手段】  回転駆動される像担持体10の表面を帯電させる帯電装置20と、帯電された像担持体の表面に静電潜像を形成する潜像形成装置30と、静電潜像の部分にトナーtを供給する一方、トナー像が形成されていない部分に存在しているトナーを回収する現像装置40と、上記のトナー像を転写材51に転写させる転写装置50と、転写後の像担持体の表面に接触して回転し、像担持体の表面に残留するトナーを分散させると共に一部のトナーを保持する分散保持部材70とを備えた画像形成装置において、像担持体と分散保持部材とが接触する部分で、画像形成時には像担持体と分散保持部材とを逆方向に移動させる一方、画像形成時以外の適当な時期に像担持体と分散保持部材とを同方向に移動させるようにした。【選択図】  図３
2006154264.tif 000002
【特許請求の範囲】
【請求項１】
回転駆動される像担持体の表面を帯電させる帯電装置と、帯電された像担持体の表面に静電潜像を形成する潜像形成装置と、像担持体の表面に形成された静電潜像の部分にトナーを供給してトナー像を形成する一方、トナー像が形成されていない部分に存在しているトナーを回収する現像装置と、像担持体に形成されたトナー像を転写材に転写させる転写装置と、転写後における像担持体の表面に接触して回転し、像担持体の表面に残留するトナーを分散させると共に一部のトナーを保持する分散保持部材とを備えた画像形成装置において、上記の像担持体と分散保持部材とが接触する部分において、画像形成時には像担持体と分散保持部材とを逆方向に移動させる一方、画像形成時以外の適当な時期に像担持体と分散保持部材とを同方向に移動させて、分散保持部材に保持されているトナーを像担持体に戻すようにしたことを特徴とする画像形成装置。
【請求項２】
請求項１に記載した画像形成装置において、上記のように像担持体と分散保持部材とが接触する部分で、像担持体と分散保持部材とを同方向に移動させる際に、像担持体と分散保持部材との間にトナーを像担持体に送る方向のバイアス電圧を印加させることを特徴とする画像形成装置。
【請求項３】
請求項２に記載した画像形成装置において、上記のバイアス電圧として、直流電圧に交流電圧を重畳させた電圧を印加させることを特徴とする画像形成装置。
【請求項４】
請求項１〜請求項３の何れか１項に記載した画像形成装置において、上記の分散保持部材に保持されているトナーを排出させるトナー排出部材を、上記の分散保持部材に接触させるようにして像担持体の近傍に設けたことを特徴とする画像形成装置。
【請求項５】
請求項４に記載した画像形成装置において、上記のトナー排出部材を移動可能に設け、像担持体と分散保持部材とが接触する部分において像担持体と分散保持部材とを同方向に移動させる際に、上記のトナー排出部材を分散保持部材に接触させることを特徴とする画像形成装置。
【請求項６】
請求項４又は請求項５に記載した画像形成装置において、上記のように像担持体と分散保持部材とを同方向に移動させる場合に、像担持体と分散保持部材とが接触する部分よりも分散保持部材の移動方向下流側の位置で、上記のトナー排出部材を分散保持部材に接触させることを特徴とする画像形成装置。
【請求項７】
請求項１〜請求項６の何れか１項に記載した画像形成装置において、上記の分散保持部材が導電性の回転ブラシで構成されていることを特徴とする画像形成装置。
【発明の詳細な説明】
【技術分野】
【０００１】
この発明は、電子写真複写機やプリンタ等の画像形成装置に係り、回転駆動される像担持体の表面を帯電装置により帯電させ、このように帯電された像担持体の表面に潜像形成装置により静電潜像を形成し、現像装置により静電潜像の部分にトナーを供給してトナー像を形成する一方、トナー像が形成されていない部分に存在しているトナーを回収し、像担持体の表面に形成された上記のトナー像を転写媒体に転写させるようにした画像形成装置において、転写後における像担持体の表面に残留したトナーが現像装置に適切に回収されるようにした点に特徴を有するものである。
【背景技術】
【０００２】
従来、電子写真複写機やプリンタ等の画像形成装置において、画像形成を行うにあたっては、一般に図１に示すように、回転する像担持体１０の表面を帯電装置２０によって帯電させた後、この像担持体１０の表面にレーザー等を用いた潜像形成装置３０により画像情報に応じた露光を行い、この像担持体１０の表面に静電潜像を形成するようにしていた。
【０００３】
そして、現像装置４０内に収容されたトナーｔを送り部材４２及びトナー供給ローラ４３によりトナー担持体４１に供給し、このようにトナー担持体４１に供給されたトナーｔを規制部材４４よって規制すると共にこのトナーｔを摩擦帯電させ、このように規制されて帯電されたトナーｔを静電潜像が形成された像担持体１０と対向する現像領域に導いて、このトナーｔをトナー担持体４１から像担持体１０の表面に形成された静電潜像の部分に供給し、像担持体１０の表面に静電潜像に対応するトナー像を形成するようにしていた。
【０００４】
次いで、このように像担持体１０の表面に形成されたトナー像を転写装置５０により像担持体１０から記録紙等の転写媒体５１に転写させる一方、転写後において上記の像担持体１０の表面に残留しているトナーｔをクリーニング装置６０によって像担持体１０の表面から除去し、その後、前記のように帯電装置２０によって像担持体１０の表面を帯電させ、上記のような操作を繰り返して、画像を形成するようにしていた。
【０００５】
ここで、上記のように像担持体１０の表面に残留しているトナーｔをクリーニング装置６０によって除去した場合、除去されたトナーｔを一般に廃棄するようにしていたため、トナーが無駄に消費されると共に、廃棄したトナーの処理が問題となった。
【０００６】
このため、最近においては、上記のようなクリーニング装置６０をなくし、上記のようにトナー担持体４１に保持されたトナーｔを像担持体１０に形成された静電潜像の部分に供給する一方、トナー像が形成されていない部分において像担持体１０の表面に存在しているトナーｔをトナー担持体４１に回収させるようにしたクリーナレスの画像形成装置が開発された。
【０００７】
しかし、このようなクリーナレスの画像形成装置においては、転写後における像担持体１０の表面に残留しているトナーｔの量が多くなり、このようにトナーｔが多く残った状態で、上記のように像担持体１０の表面を帯電装置２０により帯電させ、またこのように帯電された像担持体１０の表面に潜像形成装置３０により静電潜像を形成するようにした場合、像担持体１０の表面に残留しているトナーｔにより、帯電不良の部分が生じたり、静電潜像が適切に形成されなくなったりし、画像ムラが生じたり、次の画像にメモリーとして現れたりする等の問題があった。
【０００８】
このため、近年においては、図２に示すように、転写後における像担持体１０の表面に、回転ブラシ等の分散保持部材７０を接触させ、この分散保持部材７０により、転写後の像担持体１０の表面に残留するトナーｔを分散させて、像担持体１０の表面に残留するトナーｔを均一化させると共に、余分のトナーｔをこの分散保持部材７０に保持させるようにしたものや、このような回転ブラシを像担持体の表面を帯電させる帯電装置に用いるようにしたものが提案されている（例えば、特許文献１，２参照。）。
【０００９】
しかし、上記のように転写後の像担持体１０の表面に残留するトナーｔを分散させると共に、余分のトナーｔをこの分散保持部材７０に保持させるようにした場合、この分散保持部材７０にトナーｔが蓄積され、この分散保持部材７０が像担持体１０と接触して回転する際に、このように蓄積された大量のトナーｔが飛散して画像形成装置内が汚染されたり、像担持体１０にまとまって供給され、上記のように帯電不良の部分が生じたり、静電潜像が適切に形成されなくなったりするという問題があった。
【特許文献１】特開平８−１３７１９８号公報
【特許文献２】特開平８−１３７２０５号公報
【発明の開示】
【発明が解決しようとする課題】
【００１０】
この発明は、回転駆動される像担持体の表面を帯電装置により帯電させ、このように帯電された像担持体の表面に潜像形成装置により静電潜像を形成し、現像装置により静電潜像の部分にトナーを供給してトナー像を形成する一方、トナー像が形成されていない部分に存在しているトナーを回収し、像担持体の表面に形成された上記のトナー像を転写媒体に転写させるようにした画像形成装置において、転写後における像担持体の表面に残留したトナーが現像装置に適切に回収されるようにし、長期にわたって安定した良好な画像が得られるようにすることを課題とするものである。
【課題を解決するための手段】
【００１１】
この発明においては、上記のような課題を解決するため、回転駆動される像担持体の表面を帯電させる帯電装置と、帯電された像担持体の表面に静電潜像を形成する潜像形成装置と、像担持体の表面に形成された静電潜像の部分にトナーを供給してトナー像を形成する一方、トナー像が形成されていない部分に存在しているトナーを回収する現像装置と、像担持体に形成されたトナー像を転写材に転写させる転写装置と、転写後における像担持体の表面に接触して回転し、像担持体の表面に残留するトナーを分散させると共に一部のトナーを保持する分散保持部材とを備えた画像形成装置において、上記の像担持体と分散保持部材とが接触する部分において、画像形成時には像担持体と分散保持部材とを逆方向に移動させる一方、画像形成時以外の適当な時期に像担持体と分散保持部材とを同方向に移動させて、分散保持部材に保持されているトナーを像担持体に戻すようにした。
【００１２】
ここで、この発明の画像形成装置においては、上記のように像担持体と分散保持部材とが接触する部分において、像担持体と分散保持部材とを同方向に移動させる際に、像担持体と分散保持部材との間にトナーを像担持体に送る方向のバイアス電圧を印加させることが好ましく、特に、上記のバイアス電圧として、直流電圧に交流電圧を重畳させた電圧を印加させることが好ましい。
【００１３】
また、この発明の画像形成装置においては、上記の分散保持部材に保持されているトナーを排出させるトナー排出部材を、上記の分散保持部材に接触させるようにして像担持体の近傍に設けることが好ましく、特に、上記のトナー排出部材を移動可能に設け、像担持体と分散保持部材とが接触する部分において、像担持体と分散保持部材とを同方向に移動させる際に、上記のトナー排出部材を分散保持部材に接触させることが好ましい。さらに、上記のように像担持体と分散保持部材とを同方向に移動させる場合に、像担持体と分散保持部材とが接触する部分よりも分散保持部材の移動方向下流側の位置において、上記のトナー排出部材を分散保持部材に接触させることが好ましい。
【発明の効果】
【００１４】
この発明における画像形成装置においては、上記のように像担持体と分散保持部材とが接触する部分において、画像形成時には像担持体と分散保持部材とを逆方向に移動させるようにしたため、転写後の像担持体に残留しているトナーがこの分散保持部材に一旦掻き取られて均一に分散されるようになると共に、余分のトナーがこの分散保持部材に保持されるようになり、像担持体の表面に残留しているトナーによって帯電不良の部分が生じたり、静電潜像が適切に形成されなくなったりするのが抑制され、画像ムラが生じたり、次の画像にメモリーとして現れたりするのが防止される。
【００１５】
一方、画像形成時以外の適当な時期において、像担持体と分散保持部材とを同方向に移動させるようにしたため、この分散保持部材によるトナーの掻き取り作用が低減されて、この分散保持部材に保持されているトナーが像担持体に戻され、このように戻されたトナーが上記の現像装置に回収されるようになる。
【００１６】
この結果、この発明における画像形成装置においては、分散保持部材にトナーが蓄積されるのが抑制され、この分散保持部材が像担持体と接触して回転する際に、蓄積されたトナーが飛散して画像形成装置内が汚染されたり、像担持体にまとまって供給されて、帯電不良の部分が生じたり、静電潜像が適切に形成されなくなったりするのが防止され、長期にわたって安定した良好な画像が得られるようになる。
【００１７】
また、この発明における画像形成装置において、上記のように像担持体と分散保持部材とが接触する部分で、像担持体と分散保持部材とを同方向に移動させる際に、像担持体と分散保持部材との間にトナーを像担持体に送る方向のバイアス電圧を印加させると、分散保持部材に保持されているトナーが効率よく像担持体に戻されるようになり、特に、上記のバイアス電圧として、直流電圧に交流電圧を重畳させた電圧を印加させると、分散保持部材に保持されているトナーが交流電圧により振動して分散保持部材から離れやすくなり、分散保持部材に保持されているトナーがより効率よく像担持体に戻されて、現像装置に回収されるようになる。
【００１８】
また、この発明における画像形成装置において、分散保持部材に保持されているトナーを排出させるトナー排出部材を、上記の分散保持部材に接触させるようにして像担持体の近傍に設けると、このトナー排出部材との接触により、分散保持部材に保持されているトナーが効率よく分散保持部材から排出されて、像担持体に戻されるようになると共に、排出されたトナーが外部に飛散するのも防止されるようになる。特に、上記のトナー排出部材を移動可能に設け、像担持体と分散保持部材とが接触する部分において、像担持体と分散保持部材とを同方向に移動させる際に、上記のトナー排出部材を分散保持部材に接触させるようにすると、画像形成時に分散保持部材からトナーが外部に飛散するのが防止されるようになる。また、像担持体と分散保持部材とを同方向に移動させる場合に、像担持体と分散保持部材とが接触する部分よりも分散保持部材の移動方向下流側の位置において、トナー排出部材を分散保持部材に接触させるようにすると、このトナー排出部材により分散保持部材から排出されたトナーが像担持体側に排出されるようになり、トナーが外部に飛散するのが防止されるようになる。
【発明を実施するための最良の形態】
【００１９】
次に、この発明の実施形態に係る画像形成装置を添付図面に基づいて具体的に説明する。なお、この発明に係る画像形成装置は、下記の実施形態に示したものに限定されず、その要旨を変更しない範囲において適宜変更して実施できるものである。
【００２０】
この実施形態における画像形成装置においても、図３（Ａ）に示すように、回転する像担持体１０の表面を帯電装置２０によって帯電させた後、この像担持体１０の表面にレーザー等を用いた潜像形成装置３０により画像情報に応じた露光を行い、この像担持体１０の表面に静電潜像を形成するようにしている。
【００２１】
そして、現像装置４０内に収容されたトナーｔを送り部材４２及びトナー供給ローラ４３によりトナー担持体４１に供給し、このようにトナー担持体４１に供給されたトナーｔを規制部材４４によって規制すると共にこのトナーｔを摩擦帯電させ、このように規制されて帯電されたトナーｔを静電潜像が形成された像担持体１０と対向する現像領域に導いて、このトナーｔをトナー担持体４１から像担持体１０の表面に形成された静電潜像の部分に供給し、像担持体１０の表面に静電潜像に対応するトナー像を形成する一方、トナー像が形成されていない部分において像担持体１０の表面に存在しているトナーｔを、このトナー担持体４１に回収させて現像装置４０内に戻すようにしている。
【００２２】
そして、上記のように像担持体１０の表面に形成されたトナー像を、転写装置５０により像担持体１０から記録紙等の転写媒体５１に転写させるようにしている。
【００２３】
また、転写後における像担持体１０の表面に、導電性の回転ブラシ７０からなる分散保持部材７０を接触させ、この回転ブラシ７０と像担持体１０とが接触する部分において、この回転ブラシ７０が像担持体１０と逆方向に移動するように、制御装置８０によりこの回転ブラシ７０を像担持体１０の回転方向と同方向に回転させ、像担持体１０の表面に残留するトナーｔを分散させて、像担持体１０の表面に残留するトナーｔを均一化させると共に、余分のトナーｔをこの回転ブラシ７０に保持させるようにしている。
【００２４】
ここで、上記の回転ブラシ７０としては、導電性を有するナイロン，アクリル，ポリエチレンテレフタレート等で構成されたブラシを多数植設させた基布を金属製の芯金の周囲に接着させたものを用いることができる。
【００２５】
なお、この実施形態においては、上記のように分散保持部材７０として、導電性の回転ブラシ７０を用いるようにしたが、分散保持部材７０は特に上記のものに限定されず、像担持体１０の表面に残留するトナーｔを分散させて、像担持体１０の表面に残留するトナーｔを均一化させると共に、余分のトナーｔを保持できるものであればよく、例えば、発泡性の弾性ローラ等を用いることも可能である。
【００２６】
そして、上記のように転写後における像担持体１０の表面に残留するトナーｔを均一化させると共に、余分のトナーｔを回転ブラシ７０に保持させた後は、前記のように帯電装置２０によって像担持体１０の表面を帯電させ、前記のような操作を繰り返して、画像を形成するようにしている。
【００２７】
また、上記のようにして画像形成を所定回数行った結果、トナーｔが上記の回転ブラシ７０にある程度蓄積されると、この実施形態の画像形成装置においては、図３（Ｂ）に示すように、回転ブラシ７０と像担持体１０とが接触する部分において、回転ブラシ７０が像担持体１０と同方向に移動するように、上記の制御装置８０により回転ブラシ７０の回転方向を逆転させて、この回転ブラシ７０に蓄積されたトナーｔを像担持体１０に供給し、このように像担持体１０に供給されたトナーｔを、前記のようにトナー担持体４１により回収して現像装置４０に戻すようにしている。
【００２８】
このように、上記の回転ブラシ７０にトナーｔがある程度蓄積された時点で、回転ブラシ７０の回転方向を逆転させて、回転ブラシ７０と像担持体１０とが接触する部分において、回転ブラシ７０を像担持体１０と同方向に移動させ、回転ブラシ７０に蓄積されたトナーｔを像担持体１０に供給して現像装置４０に戻すようにすると、回転ブラシ７０に蓄積されたトナーｔが飛散して画像形成装置内が汚染されたり、このトナーｔが像担持体１０にまとまって供給されて、帯電不良の部分が生じたり、静電潜像が適切に形成されなくなったりするのが防止され、長期にわたって安定した良好な画像が得られるようになる。
【００２９】
なお、この実施形態においては、回転ブラシ７０にトナーｔがある程度蓄積された時点で、回転ブラシ７０の回転方向を逆転させて、回転ブラシ７０を像担持体１０と同方向に移動させるようにしたが、図４に示すように、回転ブラシ７０の回転方向を逆転させずに、制御装置８０により像担持体１０の回転方向を逆転させて、回転ブラシ７０と像担持体１０とが接触する部分において、回転ブラシ７０と像担持体１０とを同方向に移動させることも可能である。
【００３０】
また、上記の実施形態の画像形成装置において、図５に示すように、回転ブラシ７０にバイアス電源９０を接続させ、上記のように回転ブラシ７０と像担持体１０とが接触する部分において、回転ブラシ７０を像担持体１０と同方向に移動させる場合に、上記のバイアス電源９０からトナーｔを像担持体１０に送る方向のバイアス電圧を回転ブラシ７０に印加させるようにすることが好ましい。
【００３１】
そして、このようにバイアス電源９０からトナーｔを像担持体１０に送る方向のバイアス電圧を回転ブラシ７０に印加させると、回転ブラシ７０に蓄積されたトナーｔが回転ブラシ７０から速やかに像担持体１０に供給されて、現像装置４０に効率よく戻されるようになる。特に、上記のバイアス電源９０からバイアス電圧として、直流電圧に交流電圧を重畳させた電圧を印加させると、回転ブラシ７０に蓄積されたトナーｔが交流電圧により振動して回転ブラシ７０から離れやすくなり、回転ブラシ７０に保持されているトナーｔがより効率よく像担持体１０に供給されて現像装置４０に戻されるようになる。
【００３２】
また、上記の実施形態の画像形成装置において、図６に示すように、保持部材７１ａに掻き取り部材７１ｂを取り付けたトナー排出部材７１を用い、前記の図３（Ｂ）に示すように、回転ブラシ７０の回転方向を逆転させて回転ブラシ７０を像担持体１０と同方向に移動させる場合において、回転ブラシ７０と像担持体１０とが接触する部分よりも回転ブラシ７０の回転方向下流側における帯電装置２０側で、像担持体１０と近接した位置において、このトナー排出部材７１における掻き取り部材７１ｂを回転ブラシ７０のブラシ中に差し込むようにすることが好ましい。
【００３３】
なお、前記の図４に示すように、像担持体１０の回転方向を逆転させて回転ブラシ７０を像担持体１０と同方向に移動させる場合においては、図７に示すように、上記のトナー排出部材７１における掻き取り部材７１ｂを、回転ブラシ７０と像担持体１０とが接触する部分よりも回転ブラシ７０の回転方向下流側における転写装置５０側で、像担持体１０と近接した位置に設けるようにする。
【００３４】
そして、上記のように回転ブラシ７０と像担持体１０とが接触する部分よりも回転ブラシ７０の回転方向下流側における像担持体１０と近接した位置において、トナー排出部材７１における掻き取り部材７１ｂを回転ブラシ７０のブラシ中に差し込むと、回転ブラシ７０に保持されたトナーｔがこのトナー排出部材７１によって回転ブラシ７０から掻き出されるようになり、回転ブラシ７０に保持されているトナーｔが効率よく回転ブラシ７０から離脱されると共に、離脱されたトナーｔが外部に飛散することも少なく、適切に像担持体１０に供給されるようになる。
【００３５】
また、上記のトナー排出部材７１を上下方向に移動可能に設け、図８に示すように、回転ブラシ７０と像担持体１０とが接触する部分において、回転ブラシ７０が像担持体１０と逆方向に移動するように回転ブラシ７０を回転させ、像担持体１０の表面に残留するトナーｔを分散させるようにして画像形成を行う場合において、このトナー排出部材７１を上方に移動させ、掻き取り部材７１ｂが回転ブラシ７０に接触しないようにすると、回転ブラシ７０に保持されたトナーｔが、このトナー排出部材７１により回転ブラシ７０から掻き出されて外部に飛散するのも抑制されるようになる。
【００３６】
また、上記のトナー排出部材７１のように、保持部材７１ａに掻き取り部材７１ｂを取り付けるにあたり、回転ブラシ７０を像担持体１０と同方向に移動させるように回転させる方向の下流側に保持部材７１ａを位置させると共に、可撓性の掻き取り部材７１ｂの上端部だけを保持部材７１ａに取り付けるようにすると、図９（Ａ）に示すように、回転ブラシ７０が像担持体１０と同方向に移動するように回転ブラシ７０を回転させる場合には、掻き取り部材７１ｂが保持部材７１ａに支持されて撓みにくくなり、回転ブラシ７０に保持されたトナーｔがトナー排出部材７１によって回転ブラシ７０から効率よく掻き出されるようになる。一方、図９（Ｂ）に示すように、回転ブラシ７０が像担持体１０と逆方向に移動するように回転ブラシ７０を回転させる場合には、掻き取り部材７１ｂが回転ブラシ７０に押されて撓み、回転ブラシ７０に保持されたトナーｔがこのトナー排出部材７１によって掻き出されるのが抑制され、トナーｔが外部に飛散するのが防止されるようになる。
【００３７】
上記のようにトナー排出部材７１における掻き取り部材７１ｂを回転ブラシ７０のブラシ中に差し込み、回転ブラシ７０に保持されたトナーｔをこのトナー排出部材７１によって回転ブラシ７０から掻き出すにあたり、図示していないが、このトナー排出部材７１に適当なバイアス電圧を印加させ、回転ブラシ７０に保持されているトナーｔをこのトナー排出部材７１によって効率よく回転ブラシ７０から離脱されるようにすることも可能である。
【実施例】
【００３８】
次に、この発明の具体的な実施例を挙げ、この発明の実施例に係る画像形成装置においては、転写後における像担持体の表面に残留したトナーが現像装置に適切に回収されて、長期にわたり安定して良好な画像が得られることを比較例を挙げて明らかにする。
【００３９】
（実施例１）
実施例１においては、前記の図３（Ａ），（Ｂ）に示した画像形成装置を用いるようにし、上記の回転ブラシ７０としては、ブラシ繊維径が１５μｍ、毛足が３ｍｍになった導電性のナイロンブラシを多数植設させた基布を金属製の芯金の周囲に接着させ、外周面付近の密度が約４３万本／ｉｎｃｈ２になったものを使用し、この回転ブラシ７０と像担持体１０との間隔を上記のブラシの毛足よりも０．５ｍｍ小さくして、この回転ブラシ７０のブラシを像担持体１０の表面に接触させるようにした。
【００４０】
そして、この実施例１においては、図３（Ａ）に示すように、この回転ブラシ７０を像担持体１０の回転方向と同方向に回転させ、回転ブラシ７０と像担持体１０とが接触する部分において、回転ブラシ７０が像担持体１０と逆方向に移動するようにして、上記の画像形成装置により画像部分が５％になったテストチャートの画像形成を連続して１００枚行った。
【００４１】
その後、図３（Ｂ）に示すように、上記の制御装置８０により回転ブラシ７０の回転方向を逆転させ、回転ブラシ７０と像担持体１０とが接触する部分において、回転ブラシ７０が像担持体１０とが同方向に移動するように、この回転ブラシ７０を像担持体１０の回転方向と逆方向に１０秒間回転させて、この回転ブラシ７０に蓄積されたトナーｔを像担持体１０に供給して現像装置４０に戻すようにした。
【００４２】
そして、上記のように１００枚の画像形成を連続して行った後、回転ブラシ７０の回転方向を逆転させて回転ブラシ７０に蓄積されたトナーｔを現像装置４０に戻す操作を繰り返して行い、約１万枚の画像形成を行った時点で、形成された画像を目視により評価し、その結果を下記の表１に示した。
【００４３】
（実施例２）
実施例２においては、回転ブラシ７０と像担持体１０とが接触する部分において、回転ブラシ７０を像担持体１０と同方向に移動させて、回転ブラシ７０に蓄積されたトナーｔを像担持体１０に供給して現像装置４０に戻すにあたり、前記の図４に示すように、回転ブラシ７０の回転方向を逆転させずに、制御装置８０により像担持体１０の回転方向を逆転させるようにし、それ以外は、上記の実施例１の場合と同様にして、約１万枚の画像形成を行い、形成された画像を目視により評価し、その結果を下記の表１に示した。
【００４４】
（実施例３）
実施例３においては、回転ブラシ７０と像担持体１０とが接触する部分において、回転ブラシ７０を像担持体１０と同方向に移動させて、回転ブラシ７０に蓄積されたトナーｔを像担持体１０に供給して現像装置４０に戻すにあたり、前記の図５に示すように、回転ブラシ７０にバイアス電源９０を接続させ、このバイアス電源９０からトナーｔを像担持体１０に送る方向のバイアス電圧として、像担持体１０の表面電位よりもトナーｔの帯電極性と同極性側に２００Ｖ大きいバイアス電圧を回転ブラシ７０に印加させるようにし、それ以外は、上記の実施例１の場合と同様にして、約１万枚の画像形成を行い、形成された画像を目視により評価し、その結果を下記の表１に示した。
【００４５】
（実施例４）
実施例４においては、前記の図６に示すように、トナー排出部材７１を用いるようにし、このトナー排出部材７１として、保持部材７１ａに取り付ける掻き取り部材７１に厚みが０．５ｍｍのＳＵＳ板を用いたものを使用するようにした。
【００４６】
そして、この実施例４においては、回転ブラシ７０と像担持体１０とが接触する部分において、回転ブラシ７０を像担持体１０と同方向に移動させて、回転ブラシ７０に蓄積されたトナーｔを像担持体１０に供給して現像装置４０に戻すにあたり、前記の図６に示すように、回転ブラシ７０と像担持体１０とが接触する部分よりも回転ブラシ７０の回転方向下流側で、像担持体１０から約２ｍｍ離れた位置において、上記のトナー排出部材７１における掻き取り部材７１ｂを回転ブラシ７０のブラシ中に約１ｍｍ差し込むようにし、それ以外は、上記の実施例１の場合と同様にして、約１万枚の画像形成を行い、形成された画像を目視により評価し、その結果を下記の表１に示した。
【００４７】
（実施例５）
実施例５においても、上記の実施例４と同様に、トナー排出部材７１を用いるようにし、この実施例５においては、トナー排出部材７１として、保持部材７１ａに取り付ける掻き取り部材７１に厚みが約０．１３ｍｍになったＰＥＴ製の可撓性フィルムを用いたものを使用するようにした。
【００４８】
そして、この実施例５においても、回転ブラシ７０と像担持体１０とが接触する部分において、回転ブラシ７０を像担持体１０と同方向に移動させて、回転ブラシ７０に蓄積されたトナーｔを像担持体１０に供給して現像装置４０に戻すにあたり、前記の図６に示すように、回転ブラシ７０と像担持体１０とが接触する部分よりも回転ブラシ７０の回転方向下流側で、像担持体１０から約２ｍｍ離れた位置において、上記のトナー排出部材７１における掻き取り部材７１ｂを回転ブラシ７０のブラシ中に約１ｍｍ差し込むようにし、それ以外は、上記の実施例１の場合と同様にして、約１万枚の画像形成を行い、形成された画像を目視により評価し、その結果を下記の表１に示した。
【００４９】
（比較例１）
比較例１においては、上記の実施例１の場合と同様に、回転ブラシ７０を像担持体１０の回転方向と同方向に回転させ、回転ブラシ７０と像担持体１０とが接触する部分において、回転ブラシ７０が像担持体１０とが逆方向に移動するようにして、上記の画像形成装置により画像部分が５％になったテストチャートの画像形成を連続して１００枚行った後、上記の回転ブラシ７０の回転方向を逆転させずに、この回転ブラシ７０を画像形成時と同様に、回転ブラシ７０が像担持体１０と逆方向に移動するようにして１０秒間回転させて、この回転ブラシ７０に蓄積されたトナーｔを像担持体１０に供給して現像装置４０に戻すようにした。
【００５０】
そして、上記のような操作を繰り返して行い、約１万枚の画像形成を行った時点で、形成された画像を目視により評価し、その結果を下記の表１に示した。
【００５１】
（比較例２）
比較例２においては、上記の比較例１の場合と同様に、回転ブラシ７０に蓄積されたトナーｔを像担持体１０に供給して現像装置４０に戻すにあたり、回転ブラシ７０の回転方向を逆転させずに、画像形成時と同様に、回転ブラシ７０と像担持体１０とが接触する部分において、回転ブラシ７０を像担持体１０と逆方向に移動させるようにする一方、上記の実施例３に示すように、この回転ブラシ７０にバイアス電源９０を接続させ、このバイアス電源９０からトナーｔを像担持体１０に送る方向のバイアス電圧として、像担持体１０の表面電位よりもトナーｔの帯電極性と同極性側に２００Ｖ大きいバイアス電圧を回転ブラシ７０に印加させるようにして、約１万枚の画像形成を行い、形成された画像を目視により評価し、その結果を下記の表１に示した。
【００５２】
ここで、下記の表１における画像評価においては、回転ブラシ７０に蓄積されたトナーｔによる画像ノイズの発生が全くなかった場合を◎、◎には劣るが画像ノイズの発生が殆どなかった場合を○、帯電不良や露光不良による画像ノイズが発生した場合を×、帯電不良や露光不良による画像ノイズが非常に多く発生した場合を××で示した。
【００５３】
【表１】
2006154264.tif 000003
【００５４】
この結果、この発明の各実施例の画像形成装置においては、回転ブラシ７０に蓄積されたトナーｔによる画像ノイズの発生が抑制され、比較例１，２の画像形成装置に比べて、画像ノイズの発生のない良好な画像が長期にわたって安定して得られた。
【図面の簡単な説明】
【００５５】
【図１】クリーニング装置を設けた従来の画像形成装置の概略説明図である。
【図２】クリーニング装置に代えて回転ブラシからなる分散保持部材を設けた従来の画像形成装置の概略説明図である。
【図３】この発明の実施形態に係る画像形成装置において、画像形成時と、回転ブラシに蓄積されたトナーを現像装置に戻す時点とにおいて、回転ブラシの回転方向を変更させる状態を示した概略説明図である。
【図４】この発明の実施形態に係る画像形成装置において、回転ブラシに蓄積されたトナーを現像装置に戻す時点において、像担持体の回転方向を変更させるようにした変更例の概略説明図である。
【図５】図３に示した画像形成装置において、回転ブラシに蓄積されたトナーを現像装置に戻す時点において、回転ブラシにバイアス電源からトナーを像担持体に送る方向のバイアス電圧を印加させるようにした変更例の概略説明図である。
【図６】図３に示した画像形成装置において、保持部材に掻き取り部材を取り付けたトナー排出部材を用い、回転ブラシに蓄積されたトナーを現像装置に戻すにあたり、このトナー排出部材における掻き取り部材を回転ブラシのブラシ中に差し込むようにした変更例の概略説明図である。
【図７】図４に示した画像形成装置において、保持部材に掻き取り部材を取り付けたトナー排出部材を用い、回転ブラシに蓄積されたトナーを現像装置に戻すにあたり、このトナー排出部材における掻き取り部材を回転ブラシのブラシ中に差し込むようにした変更例の概略説明図である。
【図８】図６に示した画像形成装置において、上記のトナー排出部材を上下方向に移動可能に設け、画像形成を行う際に、このトナー排出部材を上方に移動させて、掻き取り部材を回転ブラシに接触させないようにした状態を示した概略説明図である。
【図９】図６に示した画像形成装置において、可撓性の掻き取り部材の上端部だけを保持部材に取り付けたトナー排出部材を用い、回転ブラシの回転方向を変更させた場合におけるトナー排出部材の状態を示した概略説明図である。
【符号の説明】
【００５６】
１０  像担持体
２０  帯電装置
３０  潜像形成装置
４０  現像装置
４１  トナー担持体
４２  送り部材
４３  トナー供給ローラ
４４  規制部材
５０  転写装置
５１  転写媒体
７０  分散保持部材（回転ブラシ）
７１  トナー排出部材
７１ａ  保持部材
７１ｂ  掻き取り部材
８０  制御装置
９０  バイアス電源
【図１】
2006154264.tif 000004
【図２】
2006154264.tif 000005
【図３】
2006154264.tif 000006
【図４】
2006154264.tif 000007
【図５】
2006154264.tif 000008
【図６】
2006154264.tif 000009
【図７】
2006154264.tif 000010
【図８】
2006154264.tif 000011
【図９】
2006154264.tif 000012